(57)【要約】      （修正有）【課題】押出し成形により製作された単一角材を重畳や連結することにより大きな柱や梁として使用することや、柱や梁などの取り外しが出来る連結構造や継手を提供する。【解決手段】嵌合時に頂部が潰れ圧接し連結する突条を継手の外周面か、押出し成形された被連結部材の挿入部の内周面の少なくとも一方に設けた連結構造において、継手を、前記単一被連結部材の複数部材を束ねる重畳と連結により前記単一被連結部材を第一の複数被連結部材と第二の復数被連結部材にする働きをする二股形状を有することとした。【選択図】図１
2005201430.tif 000002
【特許請求の範囲】
【請求項１】
嵌合時に頂部が潰れ圧接し連結する突条を継手の外周面か、押出し成形された被連結部材の挿入部の内周面の少なくとも一方に設けた連結構造において、前記単一被連結部材の複数部材を束ねる重畳と連結により前記単一被連結部材を第一の複数被連結部材と第二の複数被連結部材にする働きをする二股形状を有する継手での連結構造。
【請求項２】
請求項１記載の継手は継手本体の挿入部先端を二股に形成し、前記二股の継手部が請求項１記載の被連結材が重畳される二個所の挿入部に圧入できる突条と溝幅が形成された溝を前記二股間の構成とした継手構造が継手本体の挿入部の両端に形設された継手。
【請求項３】
請求項２に記載の継手においての二股形状の継手構造を継手本体の一端に形設した継手。
【請求項４】
請求項１に記載の単一被連結部材において、前記被連結部材の形状を正方形として成型すると共に、前記角材の外周四面側に三個所以上の継手挿入部が設けられ、前記挿入部の中空部内周面の角材表面側に継手が摩擦圧入できる頂部が潰れる突条が設けられた請求項１記載の被連結部材。
【発明の詳細な説明】
【発明の詳細な説明】
【技術分野】
【０００１】  この発明は、建築の主要構造材である柱や梁の構造材などの建材や既存建築物の改修や補強などまた強い強度を必要とする構築物などの構造枠材に適用される連結構造に関するものである。
【背景技術】
【０００２】
【特許文献１】  特開２００１−２０３９０号公報  上記特許文献では建築の主要構造材の柱や梁を単一の部材を用いて構築している。
【発明が解決しようとする課題】
【０００３】  しかし、建築の主要構造材の柱や梁などは大きな外部応力を受ける為に大きな部材が必要となる、しかし、例えばアルミ合金での押出しによる部材では部材が大きくなると大型の加工機が必要となり、また部材の加工精度が低下する問題もあり、さらに部材の金型費用が高額となるなどの課題があり、特に前記特許文献１のように単一部材での構造材の構築では建築後の柱などの取り替えなどの改修変更が困難である。
【課題を解決するための手段】
【０００４】押出し成形により製作された単一角材を重畳や連結することにより大きな柱や梁として使用することや、柱や梁などの取り外しが出来る連結構造や継手を提供することである。
【０００５】請求項１記載の連結構造では、単一の角材の複数を前記の二股の継手で重畳や連結することにより大きな耐力を備え取り外し出来る構造材の連結構造となる。
【０００６】請求項２記載の連結構造での継手は、複数の単一部材を重畳させる為に二つの被連結部材の中空部に跨り圧入される二股形状の継手であり、継手の突端間を、前記被連結部材端部の外周側の中空部構成部の２枚の舌片を重ねて摩擦圧入できる幅と摩擦圧入時に頂部が潰れる突条が側面に設けられた溝構成とした継手構造が継手両端に形設されたことで前記複数の単一部材の重畳と軸方向への連結を同時にする働きを有する継手。
【０００７】請求項３記載の連結構造での継手は、請求項２の溝のある二股に成型された継手構造部を継手本体の一端に有する継手であり、相対する前記部材を軸方向に連結する働きはなく前記複数の単一部材を重畳して束ねる働きをする継手。
【０００８】請求項４の被連結部材は、前記被連結部材の外周面の一側面側に三個所以上の継手が挿入できる中空部を成型した被連結部材であり、請求項１の連結構造において請求項２および請求項３の継手を出来るだけ多く装着して強固な連結構造とする働きを有する。
【発明を実施するための最良の形態】
【０００９】  この発明の第１の実施の形態を図１から図１５により説明する。以下に記載する枠組体は現場での組み立て、解体が限られた空間内で単一の枠材を束ね重畳し連結するものである。押出成形で製造された中空部のある被連結部材であり、一例として以下に既存建築物の改修において、既存の空間壁に出来るだけ接してその空間内で新たな構築物を組み立て、既存の老朽化した既存建物の改修補強の立方体枠組として、また既存建物の外部より外壁面に沿って前記既存建物を覆う枠組み構造として例示する。【００１０】  図１に示すと、例えばアルミ合金６０６３−Ｔ５製の図７の被連結部材１０２ｍｍ角材での立方体の枠体の組方を示す。構造部材の加工は現場図面を基に工場加工で行うと作業効率が良い。【００１１】  加工と組み立て手順を示すと図１の４は前記角材を４５度に切断し図１の１のＬ字形継手で連結してＬ字形部材型にすると共に、前記４５度に切断した部材端部表面から図１の２の継手が前記Ｌ字形角部材型から突き出るように前記Ｌ字形角部材型の表面に予めプレス機で切欠けをしておくと共に図１の５の連結継ぎ目で図２の４ｋ、図４の４ｋの切欠け部を更にプレス機などで設けてから前記Ｌ字形部材型を組み立て、それらＬ字形部材型を８体作る、８体の内４体は図１５の１４の部材型が図１の組体の下部に連結されるように前記Ｌ字型部材より突き出した連結継手の図１の２を上下に装着しておく。既存建築物を覆う組方では図１の前記Ｌ字形部材型の下部になる４体は横架材として基礎に埋設した地中梁とすることもできる。【００１２】次に前記１０２ｍｍ角材を図１４の部材型に図８の８ａの継手を用いて重畳して前記Ｌ字形部材型に連結しておく、別途に図１の５の切断部に現場で継ぎ足し施工できる部材型を図７の７ａ継手を使用して重畳と連結により組み立てる。【００１３】施工現場では前記工程で組み立てた各型部材を仮組み立てした後に既に装着されている図３の継手の３ａの中空部３ｓに１０２ｍｍ角材の切欠け部より鉄角材の道具を差込み継ぎ目中央部まで装着された継手３を嵌通させて連結固定して構築物を組み立てるが、作業はハンマの叩き込みで容易に行える、解体も前記の逆の手順で行える。図１での３の継手の使用は四方が壁面で内部より前記継手を嵌通させて連結作業できる挿入口にのみ３の継ぎ足し継手の装着が部材型に装着されているが構築物の必要強度により３の継手を部材型の適所の中空部に装着しても良い、また、逆に耐力不足の場合は継手３の外周部縁辺や内部の助骨の肉厚を大きくすると良い、実施では３ｍｍ厚とした。【００１４】また図には示していないが第二の実施例として階段踏み板を取付ける階段構造材として前記被連結部材を短い寸法に切断して請求項３の継手を用いて前記単一角材の短寸部材を重畳での連結を連続させることにより階段の構造部材としても使用できる。
【発明の効果】
【００１５】
【０００１６】請求項１記載の連結構造によれば、単一の被連結部材１０２ｍｍ角材の中空部を形成する舌片の肉厚の成型精度が厚み３ｍｍの場合±０．１５ｍｍ以内で成型される効果がある。角材が大きくなると前記成形精度が低下する。
【０００１７】請求項２の記載の継手を用いた連結構造では、例えば摩擦接合の働きをする突条は鉄骨構造の継手でのボルトの働きをなし、継手の突条を形成している継手周方向の縁辺部や継手内部の助骨は前記鉄骨継手の添え板の働きに類似した効果がある。
【０００１８】請求項３記載の連結構造では、請求項２と同じ単一部材を確りと束ねる重畳効果があり、枠材を立方体に組む場合に強い連結効果を得る事が出来る。
【０００１９】請求項４に記載の被連結部材により部材間の重畳と軸方向の連結のための継手配置での効果を得ることができる。図には示していないが大きい梁として使用する場合には小梁の載荷を受ける突条部を前記被連結部材の外周側面となる個所に外周面より突き出した突条を一体成型すると枠組に効果がある。また図には示していないが第二の実施例として階段踏み板を取付ける階段構造材として前記被連結部材を短い寸法に切断して請求項３の継手を用いて前記単一角材の短寸部材を重畳での連結を連続させることにより階段の構造部材としても使用できる。
【図面の簡単な説明】
【図１】この発明の第１の実施形態での枠組体の斜視図であり、数種類の継手により１ａの単一構造部材を７ａや８ａの継手で束ね重畳させて一本の複数連結構造材にした部材型の継手装着状態や連結の仕組みを示した図である。６の部材は５の切断個所で取り外し出来る、図では５の切断部に設けた取り外しの為の切欠け部を図で示していない、５ａの切断個所は継手８ａを使用してあり取り外ししない切断個所で切断部５と異なる。
【図２】１ａ角材の軸方向の断面図であり、５は部材を継ぎ足す切断個所であり、前記角材の一方に装着された３の継手を前記角材に設けた４ｋの切り欠け個所から道具を挿入して継手３の３ｓなどの中空部の助骨や継手上下側面に前記道具を当てて叩き動かし継手連結させた図である、切欠け個所は図の位置に限らず図３の継手断面図の中空部３ｓを構成する助骨や継手３の上下挿入側面に道具が当たり動かせる個所に切欠けを設けても良い。
【図３】（３ａ）は継手断面図であり（３ｂ）は継手の側面図である。３ｓは中空部を示し、３ｙは接合する摩擦部の突条であり、３ｔは３ｙが形成される圧接片を示す、実施では３ｍｍの厚みとした。
【図４】１ａの単一構造部材１０２ｍｍ角材の断面図であり、４ｈの突設は角材の一側面側に設けられた３個所の中空部４ｓの真ん中に位置する中空部に継手を挿入した場合の動きを止める働きをする、４ｓは継手の挿入口であり、４ｋは切欠け部を示し、４ｙは挿入口内周面に設けられた接合摩擦部の突条を示す。
【図５】１ａの二本の１０２ｍｍ角材に継手３を動かす為の切欠けを入れ重なった断面図である、。
【図６】図５の１ａの１０２ｍｍ角材の切断部の切欠け部４ｋから継手３を動かして１ａの相対する構造材を連結させ重ねた側面の断面図と切欠け個所を示した。
【図７】（７ａ）は二本の１０２ｍｍ角材の重畳と相対する二本の１０２ｍｍ角材の連結を同時に行う継手の斜視図である。（７ｂ）は（７ａ）にある中空部を形成する助骨がなく中空部７ｓがない継手である。（７ｃ）は（７ａ）（７ｂ）より（７ａ）の７−１の継手挿入部先端に７ｋｓの開口があるので少し弾性が働くが実施事例ではアルミ合金６０６３−Ｔ５の３ｍｍ厚であるので外部応力が強すぎると弾性より塑性変形するが摩擦部の突条の潰れにより塑性変形は小さい変形か外部応力の負荷程度により変形しない。（７ｅ）は継手挿入側からの正面図であり、（７ｄ）は（７ａ）の断面図である。
【図８】（８ａ）は図８の継手の形状を半分にした形状であり、枠材の両端で重畳の働きをする、（８ｂ）、（８ｃ）は前記図７に記したと同様である。（８ｄ）は（８ａ）の断面図である。７−２は図７の７−１と同じ継手挿入部である。
【図９】継手８ａに１ａの２本が重畳された部材型の後方よりの図である。
【図１０】継手８ａの継手により重畳された角材の側面の断面を示し、１０ｐは角材の切欠け部の挿入部を形成する助骨である舌片であり、舌片に設けられた突条１０ｙと継手の溝側面に設けられた突条の摩擦圧入での接合部を示す。
【図１１】継手７ａにより１０２ｍｍ角材が重畳、連結された部材型の後方または前方より覗いた図である。
【図１２】図１１の側面の断面図である。
【図１３】図１１の拡大図である。
【図１４】単一部材を三本束ねた図であり、図１の部材型として９の切断部で継手７ａが装着され柱部とした前記部材型を一方向の軸方向から覗いた図を示し、継足し継手の挿入可能な個所を示す。
【図１５】単一部材を四本束ねた図であり、図１の１４の部材型を継手８ａで重畳して束ねた部材型の両端の図であり突き出し継手２の挿入可能な個所を示す。
【符号の説明】
１ａ……単一構造部材
４……Ｌ字形部材型
６ａ……三本枠材部材型
１４・…四本枠材部材型
６……継ぎ足し部材型
１……Ｌ字形継手
２……突き出し継手
３……継ぎ足し継手
７ａ……継手
７ｂ……継手
７ｃ……継手
７ｄ……継手
８ａ……継手
８ｂ……継手
８ｃ……継手
８ｄ……継手
３ｓ……中空部
４ｓ……挿入部
７ｓ……中空部
７−１…挿入部
７−２…挿入部
３ｔ…・・圧接片
２ｙ  …突条
３ｙ・…突条
４ｙ……突条
６ｙ……突条
７ｙ……突条
１０ｙ…突条
１２ｙ…突条
４ｋ……切欠け部
５ｋ……切欠け部
１０ｋ…切欠け部
４ｈ……継手止め部
５  ……切断部
５ａ……切断部
７ｍ  …溝
７ｋｓ……開口部
１０ｐ…舌片
１２ｐ…舌片
【図１】
2005201430.tif 000003
【図２】
2005201430.tif 000004
【図３】
2005201430.tif 000005
【図４】
2005201430.tif 000006
【図５】
2005201430.tif 000007
【図７】
2005201430.tif 000008
【図８】
2005201430.tif 000009
2005201430.tif 000010
【図９】
2005201430.tif 000011
2005201430.tif 000012
【図１１】
2005201430.tif 000013
【図１２】
2005201430.tif 000014
【図１３】
2005201430.tif 000015
【図１４】
2005201430.tif 000016
【図１５】
2005201430.tif 000017
【手続補正書】
【提出日】平成16年4月23日(2004.4.23)
【手続補正１】
【補正対象書類名】明細書
【補正対象項目名】全文
【補正方法】変更
【補正の内容】
【発明の詳細な説明】
【技術分野】
【０００１】  この発明は、建築の主要構造材である柱や梁の構造材などの建材や既存建築物の改修や補強などまた強い強度を必要とする構築物などの構造枠材に適用される連結構造に関するものである。【０００２】
【背景技術】
【特許文献１】特開２００１−２０３９０号公報
上記特許文献では建築の主要構造材の柱や梁を単一の部材を用いて構築している。【０００３】
【発明が解決しようとする課題】
しかし、建築の主要構造材の柱や梁などは大きな外部応力を受ける為に大きな部材が必要となる、しかし、例えばアルミ合金での押出しによる部材では部材が大きくなると大型の加工機が必要となり、また部材の加工精度が低下する問題もあり、さらに部材の金型費用が高額となるなどの課題があり、特に前記特許文献１のように単一部材での構造材の構築では建築後の柱などの取り替えなどの改修変更が困難である。
【０００４】
【課題を解決するための手段】
押出し成形により製作された単一角材を重畳や連結することにより大きな柱や梁として使用することや、柱や梁などの取り外しが出来る連結構造や継手を提供することである。
【０００５】  請求項１記載の連結構造では、単一の角材の複数を前記の二股の継手で重畳や連結することにより大きな耐力を備え取り外し出来る構造材の連結構造となる。
【０００６】  請求項２記載の連結構造での継手は、複数の単一部材を重畳させる為に二つの被連結部材の中空部に跨り圧入される二股形状の継手であり、継手の突端間を、前記被連結部材端部の外周側の中空部構成部の２枚の舌片を重ねて摩擦圧入できる幅と摩擦圧入時に頂部が潰れる突条が側面に設けられた溝構成とした継手構造が継手両端に形設されたことで前記複数の単一部材の重畳と軸方向への連結を同時にする働きを有する継手。
【０００７】  請求項３記載の連結構造での継手は、請求項２の溝のある二股に成型された継手構造部を継手本体の一端に有する継手であり、相対する前記部材を軸方向に連結する働きはなく前記複数の単一部材を重畳して束ねる働きをする継手。
【０００８】  請求項４の被連結部材は、前記被連結部材の外周面の一側面側に三個所以上の継手が挿入できる中空部を成型した被連結部材であり、請求項１の連結構造において請求項２および請求項３の継手を出来るだけ多く装着して強固な連結構造とする働きを有する。
【０００９】
【発明を実施するための最良の形態】  この発明の第１の実施の形態を図１から図１８により説明する。以下に記載する枠組体は現場での組み立て、解体が限られた空間内で単一の枠材を束ね重畳し連結するものである。押出成形で製造された中空部のある被連結部材であり、一例として以下に既存建築物の改修において、既存の空間壁に出来るだけ接してその空間内で新たな構築物を組み立て、既存の老朽化した既存建物の改修補強の立方体枠組として、また既存建物の外部より外壁面に沿って前記既存建物を覆う枠組み構造として例示する。【００１０】  図１に示すと、例えばアルミ合金６０６３−Ｔ５製の断面形状図４の被連結部材１０２ｍｍ角材である図１の１ａでの立方体の枠体の組方を示す。構造部材の部材加工は加工図面を基に工場で加工を行うと作業効率が良い。【００１１】  加工と組み立て手順を示すと図１の４は前記角材１ａを４５度に切断し図１の１のＬ字形継手で連結してＬ字形部材型にすると共に、前記４５度に切断した部材端部表面から図１の２の継手が前記Ｌ字形角部材型から突き出るように前記Ｌ字形角部材型の表面に予めプレス機で切欠けをしておくと共に図１の５の連結継ぎ目で図２の４ｋ、図４の４ｋの切欠け部を更にプレス機などで予め設けてから前記Ｌ字形部材型を組み立て、それらＬ字形部材型を８体作る、８体の内４体は図１８の部材型が図１の組体の下部に図１の１４のように連結されるように前記Ｌ字型部材より突き出した連結継手の図１の２を上下に装着しておく、この継手２は図１の相対する単一部材１ａの中空部に既に装着連結されたＬ字形継手に設けられた中空部に継手２の下部が装着され、前記継手２の上部は図１の単一部材１ａに設けられた中空部に直接圧入される。既存建築物を覆う組方では図１の前記Ｌ字形部材の下部になる４体は横架材として基礎に埋設した地中梁とすることもできる。【００１２】  次に前記１ａの角材を図１７の部材型に図１０の８ａの継手を用いて重畳して前記Ｌ字形部材型に連結しておく、別途に図１の５の切断部に現場で継ぎ足し施工できる部材型を図７の７ａ継手を使用して重畳と連結により組み立てておく。【００１３】  施工現場では前記工程で組み立てた各型部材を仮組み立てした後に既に装着されている図３の継手３の断面図３ａの中空部３ｓに角材１ａの切欠け４ｋより鉄角材などの道具を差込み、前記道具をハンマーなどで叩き、継ぎ目中央部まで装着された継手３を嵌通させて移動させ１ａを連結固定して構築物を組み立てるが、作業はハンマの叩き込みで容易に行える、解体も前記の逆の手順で行える。図１では継手３の使用は四方が壁面で内部より前記継手を嵌通させて連結作業できる前記１ａの挿入口個所にのみ継ぎ足し継手３が部材型に装着されているが構築物の必要強度により継手３を部材型の適所の中空部に装着しても良い、また、逆に耐力不足の場合は継手３の外周部縁辺や内部の助骨の肉厚を大きくすると良い、実施では３ｍｍ厚とした。【００１４】  また図には示していないが第二の実施例として階段踏み台を取付ける階段構造材として前記被連結部材を短い寸法に切断して請求項３の継手を用いて前記単一角材の短寸部材を重畳での連結を連続させることにより階段の構造部材としても使用できる。【００１５】
【発明の効果】
請求項１記載の連結構造によれば、単一の被連結部材１ａが１０２ｍｍ角材での中空部を形成する舌片の肉厚の成形精度が厚み３ｍｍ程度の場合±０．２５ｍｍ以内で成形される効果がある。角材が大きくなると前記成形精度が低下する。
【００１６】  請求項２の記載の継手を用いた連結構造では、例えば摩擦接合の働きをする突条は鉄骨構造の継手でのボルトの働きをなし、継手の突条を形成している継手周方向の縁辺部や継手内部の助骨は前記鉄骨継手の添え板の働きに類似した効果がある。
【００１７】  請求項３記載の連結構造では、請求項２と同じ単一部材を確りと束ねる重畳効果があり、枠材を立方体に組む場合に強い連結効果を得ることが出来る。
【００１８】  請求項４に記載の被連結部材により部材間の重畳と軸方向の連結のための継手配置での効果を得ることができる。図には示していないが大きい梁として使用する場合には小梁の載荷を受ける突条部を前記被連結部材の外周側面となる個所に外周面より突き出した突条を一体成形すると枠組みに効果がある。また図には示していないが第二の実施例として階段踏み板を取付ける階段構造材として前記被連結部材を短い寸法に切断して請求項３の継手を用いて前記単一角材の短寸部材を重畳での連結を連続させることにより階段の構造部材としても使用できる。
【図面の簡単な説明】
【００１９】
【図１】  この発明の第１の実施形態での枠組体の斜視図であり、数種類の継手により１ａの単一構造部材を７ａや８ａの継手で束ね重畳させて一本の複数連結構造材にした部材型の継手装着状態や連結の仕組みを示した図である。６の部材は５の切断個所で取り外し出来る、図では５の切断個所は継手８ａを使用してあり取り外ししない切断部５ａと異なる。
【００２０】
【図２】  １ａ角材の軸方向の断面図であり、５は部材を継ぎ足す切断個所であり、前記角材の一方に装着された継手３を前記角材に設けた４ｋの切り欠け個所から道具を挿入して継手３の３ｓなどの中空部の助骨や継手上下側面に前記道具を当てて叩き動かし継手連結させた図である、切欠け個所は図の位置に限らず図３の継手３断面図の中空部３ｓを構成する助骨に道具が当たり継手３を動かせるいずれかの中空部個所に４ｋの切欠けを設けても良い。
【００２１】
【図３】  （３ａ）は継手断面図であり（３ｂ）は継手の側面図である。３ｓは中空部を示し、３ｙは接合する摩擦部の突条であり、３ｔは３ｙが形成される圧接片を示す、実施では継手構成部の肉厚を３ｍｍとした。
【００２２】
【図４】図１の単一被連結部材１ａであり実施例での１０２ｍｍ角材の断面図である、４ｈの突設は角材の一側面側に設けられた３個所の中空部４ｓの真ん中に位置する中空部に継手を挿入した場合の動きを止める働きをする、４ｓは継手の挿入口であり、４ｋは切欠け部を示し、４ｙは継手挿入口内周面に設けられた接合摩擦部の突条を示す。
【００２３】
【図５】図４の二本の１ａの１０２ｍｍ角材に前記継手３を動かす為の切欠けを入れ重ねた断面図である。４ｋは切欠け部を示す。
【００２４】
【図６】  図５の１ａの１０２ｍｍ角材の切断部の切欠け部４ｋから継手３を動かして１ａの相対する構造材１ａを連結させ重ねただけの側面断面図を示した。５の切断部では３の継手の移動が１ａの中空部で可能であり、１ａの部材の取り替えが出来る為の切欠け個所の４ｋを示す。
【００２５】
【図７】二本の被連結部材１ａの１０２ｍｍ角材と相対する前記二本の１０２ｍｍ角材を重畳と連結を同時に行う継手の斜視図であり、重畳させる為の溝７ｍを示し、また図１の１ａの相対する部材えを連結するための挿入部７−１を示す。継手は７ａと符合した。
【００２６】
【図８】前記図７の継手７ａにある中空部を形成する助骨がなく中空部７ｓがない継手であり、前記図７の継手７ａと同様の働きをする継手の斜視図。
【００２７】
【図９】図７の継手と同様な働きをする継手の斜視図。継手挿入部先端に７ｋｓの開口があるので少し弾性が働くが実施例ではアルミ合金６０６３−Ｔ５の３ｍｍ厚であるので外部応力が強すぎると弾性より塑性変形するが摩擦部の突条の潰れにより塑性変形は小さい変形か外部応力の負荷程度により変形しない。
【００２８】
【図１０】図８の継手の形状を略半分にした形状であり、枠材の両端で前記被連結部材１ａを重畳する働きをする継手の斜視図。継手８ａとした。
【００２９】
【図１１】前記図１０に記したと継手８ａと同様な働きをする継手の斜視図。
【００３０】
【図１２】前記図１０に記したと継手８ａと同様な働きをする継手の斜視図。
【００３１】
【図１３】前記図１０の継手８ａにより図４の被連結部材１ａの２本が重畳された部材型の軸後方より覗いた図である。
【００３２】
【図１４】図１０の継手８ａの継手により重畳された角材の側面の断面を示し、１０ｐは角材の切欠け部の挿入部を形成する助骨である舌片であり、舌片に設けられた図４の突条４ｙと継手８ａの溝側面に設けられた突条の摩擦圧入での接合部を示す。
【００３３】
【図１５】  図７の継手７ａにより図４の単一被連結材１ａが重畳、連結された部材型の重畳および連結状態の側面断面図である。
【００３４】
【図１６】  図１３の拡大図である。
【００３５】
【図１７】  単一部材を三本束ねた図であり、図１の部材型として９の切断部で継手７ａが装着され柱部とした前記部材型を一方請向の軸方向から覗いた図を示し、継足し継手の挿入可能な個所を示す。
【００３６】
【図１８】  単一部材を四本束ねた図であり、図１の１４の部材型を継手８ａで重畳して束ねた部材型の両端の図であり突き出し継手２の挿入可能な個所を示す。
【符合の説明】
【００３７】          １ａ………単一構造部材
４  ………Ｌ字形部材型
６ａ………三本枠材部材型
１４  ……四本枠材部材型
６  ………継ぎ足し部材型
１  ………Ｌ字形継手
２  ………突き出し継手
３  ………継ぎ足し継手
７ａ………継手
８ａ………継手
３ｓ………中空部
７ｓ………中空部
４ｓ………挿入部
７−１……挿入部
７−２……挿入部
３ｔ………圧接片
３ｙ………突条
４ｙ………突条
７ｙ………突条
４ｋ………切欠け部
４ｈ………継手止め部
５………  切断部
５ａ………切断部
７ｍ………溝
８ｍ………溝
７ｋｓ……開口部
１０ｐ……舌片
【手続補正２】
【補正対象書類名】図面
【補正対象項目名】全図
【補正方法】変更
【補正の内容】
【図１】
2005201430.tif 000018
【図２】
2005201430.tif 000019
【図３】
2005201430.tif 000020
【図４】
2005201430.tif 000021
【図５】
2005201430.tif 000022
【図６】
2005201430.tif 000023
【図７】
2005201430.tif 000024
【図８】
2005201430.tif 000025
【図９】
2005201430.tif 000026
【図１０】
2005201430.tif 000027
【図１１】
2005201430.tif 000028
【図１２】
2005201430.tif 000029
【図１３】
2005201430.tif 000030
【図１４】
2005201430.tif 000031
【図１５】
2005201430.tif 000032
【図１６】
2005201430.tif 000033
【図１７】
2005201430.tif 000034
【図１８】
2005201430.tif 000035